(57)【要約】【課題】１本の信号線を伝送する点灯制御信号を利用して、複数の発光素子の個別の点灯制御を行わせることを課題とする。【解決手段】主制御装置と、複数の発光素子制御装置とが、１本の信号線によって直列接続され、主制御装置が、複数ビットからなる点灯制御信号を１番目の発光素子制御装置に接続された信号線に出力する信号送信部を備え、発光素子制御装置が、信号線を介して入力された点灯制御信号の先頭の所定数のビットデータのみを受信するデータ受信部と、受信したビットデータに基づいて、対応する発光素子を点灯制御する点灯部と、受信したビットデータを除く残りのビットデータからなる点灯制御信号を、隣接する発光素子制御装置に出力するデータ送信部とを備えたことを特徴とする。【選択図】図２
2014238538.tif 000002
【特許請求の範囲】
【請求項１】
主制御装置と、複数の発光素子と、各発光素子をそれぞれ点灯制御する複数の発光素子制御装置とからなり、
前記主制御装置と、前記複数の発光素子制御装置とが、１本の信号線によって直列接続され、
前記主制御装置が、複数ビットからなる点灯制御信号を１番目の発光素子制御装置に接続された信号線に出力する信号送信部を備え、
前記発光素子制御装置が、前記信号線を介して入力された点灯制御信号の先頭の所定数のビットデータのみを受信するデータ受信部と、
前記受信したビットデータに基づいて、対応する発光素子を点灯制御する点灯部と、
前記受信したビットデータを除く残りのビットデータからなる点灯制御信号を、隣接する発光素子制御装置に出力するデータ送信部とを備えたことを特徴とする表示制御装置。
【請求項２】
前記発光素子制御装置が、
前記点灯制御信号の先頭の所定数のビットデータが入力されたことを検出するデータ開始検出部と、
前記データ受信部によって受信されたビットデータを記憶する信号ビットメモリとを備え、
前記データ開始検出部が前記先頭のビットデータが入力されたことを検出した場合に、前記受信されたビットデータを信号ビットメモリに記憶し、前記点灯部が、前記信号ビットメモリに記憶されたビットデータに基づいて、対応する発光素子を点灯制御することを特徴とする請求項１に記載の表示制御装置。
【請求項３】
前記発光素子制御装置が、
前記データ開始検出部によって前記先頭の所定数のビットデータが入力されたことを検出した後に所定の時間の経過を計測するタイマーと、
前記入力された点灯制御信号あるいは無信号状態を前記データ送信部に伝送するために、前記信号線と前記データ送信部との接続を切り替える切替部とを備え、
前記所定の時間が、前記先頭の所定数のビットデータの時間幅に相当する時間であり、
前記タイマーが前記所定の時間の経過を計測した後に、前記切替部が、前記入力された点灯制御信号のうち、先頭の所定数のビットデータを除いた残りのビットデータからなる点灯制御信号を前記データ送信部に伝送するように信号線を切り替えることを特徴とする請求項２に記載の表示制御装置。
【請求項４】
前記発光素子制御装置が、前記点灯制御信号の最終ビットの入力が終了した後に、前記信号線が無信号状態になったことを検出するデータ終了検出部を備え、
前記切替部は、前記データ終了検出部が前記無信号状態になったことを検出した後に、
前記データ送信部に無信号状態を伝送するように前記信号線を切り替えることを特徴とする請求項３に記載の表示制御装置。
【請求項５】
前記発光素子制御装置が、ビットデータを記憶する調整ビットメモリをさらに備え、
前記データ終了検出部が、前記信号線が無信号状態になったことを検出した後、
前記信号ビットメモリに記憶されていたビットデータを前記調整ビットメモリに転送させ、
前記点灯部が、前記調整ビットメモリに転送されたビットデータに基づいて、対応する発光素子を点灯制御することを特徴とする請求項４に記載の表示制御装置。
【発明の詳細な説明】
【技術分野】
【０００１】
この発明は、表示制御装置に関し、特に、複数の発光素子（たとえばＬＥＤ）の点消灯を制御するための表示制御装置に関する。
【背景技術】
【０００２】
今日、多数のＬＥＤを、棒状、テープ状あるいはひも状の部材に一列に配置して、ＬＥＤ全体を同時に点灯または消灯させることにより、装飾発光させるイルミネーション装置が用いられている。
また、３原色のＬＥＤを各色ごとに多数配列して、交互に点灯させることにより、クリスマス等の時期に店頭等のディスプレイのイルミネーションとして用いられるものもある。
【０００３】
さらに、多数のＬＥＤを制御するための専用ケーブルの引き回しを少なくし、個々のＬＥＤごとの点灯制御を行うために、制御装置と、３原色のＬＥＤを備えてこれらのＬＥＤの点灯制御を行う複数の発光装置とを、１本の電力ケーブルで接続し、電力ケーブルを介して、制御装置から供給される電力に重量させて、点灯制御する駆動データを各発光装置に伝送することによって、各ＬＥＤを点灯または消灯させる電飾装置が提案されている（特許文献１参照）。
【０００４】
この電飾装置では、伝送される駆動データとして、伝送制御信号と、発光装置のＩＤ番号を特定する識別番号と、点灯制御信号とからなるシリアルデータが用いられ、発光装置ごとに予め記憶されているＩＤ番号と、伝送されてきた駆動データに含まれる識別番号とが一致したときに、その一致したＩＤ番号を持つ発光装置が、その駆動データに含まれる点灯制御信号に基づいて、ＬＥＤの点灯制御を行う。
【先行技術文献】
【特許文献】
【０００５】
【特許文献１】特開２００４−３０３４４５号公報
【発明の概要】
【発明が解決しようとする課題】
【０００６】
しかし、単に、多数のＬＥＤを全体的に点消灯させるものや３原色のＬＥＤをそれぞれ別々に点灯制御するものは、点灯制御が容易であるが、専用ケーブルを引き回す必要があり、設置作業が容易ではなく、装置コストも高く、個々のＬＥＤの点灯制御ができないという問題がある。
【０００７】
また、各発光装置の識別番号を含ませた駆動データを伝送する場合は、個々のＬＥＤの点灯制御が可能であるが、各発光装置に、自己のＩＤ番号を予め記憶させておく必要があり、発光装置それぞれに、ＩＤスイッチあるいは、ＲＯＭなどの不揮発性の記憶素子を備える必要がある。
ＩＤスイッチや不揮発性の記憶素子を、発光装置ごとに備えるのは装置コストが増加することになり、また、ＩＤスイッチの値を、発光装置ごとに異なる数値となるように製造時に予め設定する必要があるが、これは製造コストが増加する要因となる。
【０００８】
そこで、この発明は、以上のような事情を考慮してなされたものであり、各ＬＥＤの点灯制御を行うための信号線を１本とし、各ＬＥＤを制御するためのＬＥＤ制御装置に、ＬＥＤを識別するための識別番号を予め記憶させることなく、ＬＥＤごとの個別の点灯制御を行えるようにした表示制御装置を提供することを課題とする。
【課題を解決するための手段】
【０００９】
この発明は、主制御装置と、複数の発光素子と、各発光素子をそれぞれ点灯制御する複数の発光素子制御装置とからなり、前記主制御装置と、前記複数の発光素子制御装置とが、１本の信号線によって直列接続され、前記主制御装置が、複数ビットからなる点灯制御信号を１番目の発光素子制御装置に接続された信号線に出力する信号送信部を備え、前記発光素子制御装置が、前記信号線を介して入力された点灯制御信号の先頭の所定数のビットデータのみを受信するデータ受信部と、前記受信したビットデータに基づいて、対応する発光素子を点灯制御する点灯部と、前記受信したビットデータを除く残りのビットデータからなる点灯制御信号を、隣接する発光素子制御装置に出力するデータ送信部とを備えたことを特徴とする表示制御装置を提供するものである。
【００１０】
これによれば、ある発光素子制御装置において、複数ビットからなる点灯制御信号のうち、受信した先頭の所定数のビットデータに基づいて発光素子を点灯制御し、先頭のビットデータを除く残りのビットデータからなる点灯制御信号を、隣接する発光素子制御装置に出力しているので、複数の発光素子をそれぞれ個別に点灯制御できる。
また、信号線は１本であり、複数の発光素子制御装置は直列接続されるので、設置作業が容易となり、製品コストおよび製造コストを低減させることができる。
さらに、複数の発光素子の個別の点灯制御ができるので、発光素子の点消灯に変化をつけることにより、種々の演出効果を実現させることができる。
また、各発光素子制御装置は、個別の識別番号を記憶する必要はないので、同一構成を持つ装置を利用することができ、使用する発光素子の増減に対応させて、同一の発光素子制御装置を増減するだけで、容易に設備構成の変更ができる。
【００１１】
また、前記発光素子制御装置が、前記点灯制御信号の先頭の所定数のビットデータが入力されたことを検出するデータ開始検出部と、前記データ受信部によって受信されたビットデータを記憶する信号ビットメモリとを備え、前記データ開始検出部が前記先頭のビットデータが入力されたことを検出した場合に、前記受信されたビットデータを信号ビットメモリに記憶し、前記点灯部が、前記信号ビットメモリに記憶されたビットデータに基づいて、対応する発光素子を点灯制御することを特徴とする。
これによれば、受信されたビットデータは、信号ビットメモリに一時的に記憶すればよいので、信号ビットメモリとして不揮発性メモリを用いる必要はなく、製品コストを低減させることができる。
【００１２】
また、前記発光素子制御装置が、前記データ開始検出部によって前記先頭の所定数のビットデータが入力されたことを検出した後に所定の時間の経過を計測するタイマーと、前記入力された点灯制御信号あるいは無信号状態を前記データ送信部に伝送するために、前記信号線と前記データ送信部との接続を切り替える切替部とを備え、前記所定の時間が、前記先頭の所定数のビットデータの時間幅に相当する時間であり、前記タイマーが前記所定の時間の経過を計測した後に、前記切替部が、前記入力された点灯制御信号のうち、先頭の所定数のビットデータを除いた残りのビットデータからなる点灯制御信号を前記データ送信部に伝送するように信号線を切り替えることを特徴とする。
これによれば、タイマーで先頭の所定数のビットデータの時間幅に相当する時間の経過を計測した後に、切替部によって信号線の切り替えを行うので、確実に、残りのビットデータからなる点灯制御信号を、データ送信部に伝送することができる。
【００１３】
また、前記発光素子制御装置が、前記点灯制御信号の最終ビットの入力が終了した後に、前記信号線が無信号状態になったことを検出するデータ終了検出部を備え、前記切替部は、前記データ終了検出部が前記無信号状態になったことを検出した後に、前記データ送信部に無信号状態を伝送するように前記信号線を切り替えることを特徴とする。
【００１４】
また、前記発光素子制御装置が、ビットデータを記憶する調整ビットメモリをさらに備え、前記データ終了検出部が、前記信号線が無信号状態になったことを検出した後、前記信号ビットメモリに記憶されていたビットデータを前記調整ビットメモリに転送させ、前記点灯部が、前記調整ビットメモリに転送されたビットデータに基づいて、対応する発光素子を点灯制御することを特徴とする。
これによれば、信号線が無信号状態になったことを検出した後に、調整ビットに転送されたビットデータに基づいて、発光素子の点灯制御をするので、複数の発光素子制御装置による各発光素子の点灯制御のタイミングのずれを低減させることができる。
【００１５】
前記発光素子としては、ＬＥＤを用いることができるが、これに限るものではない。
また、前記信号ビットメモリに記憶されるビットデータは、たとえば、１ビットのデータである値０または値１であり、前記点灯部は、前記ビットデータが値０の場合には対応するＬＥＤを消灯させ、値１の場合には対応するＬＥＤを点灯させるものとする。
【発明の効果】
【００１６】
これによれば、主制御装置から１本の信号線に出力された複数ビットからなる点灯制御信号のうち、先頭の所定数のビットデータのみを受信し、そのビットデータに基づいて対応する発光素子を点灯制御し、受信したビットデータを除く残りのビットデータからなる点灯制御信号を、隣接する発光素子制御装置に出力しているので、複数の発光素子をそれぞれ個別に点灯制御することができる。
【図面の簡単な説明】
【００１７】
【図１】この発明の表示制御装置の一実施例の構成ブロック図である。
【図２】この発明のＬＥＤ制御装置の第１実施例の構成ブロック図である。
【図３】この発明の点灯制御信号の一実施例の説明図である。
【図４】この発明の主制御装置において実行される点灯制御処理の一実施例のフローチャートである。
【図５】この発明の主制御装置の記憶部に予め記憶され、点灯制御信号のもととなるデータ列の一実施例の説明図である。
【図６】この発明の１ビットのデータを示す信号の一実施例の説明図である。
【図７】この発明の１ビットのデータを示す信号の他の実施例の説明図である。
【図８】この発明のＬＥＤ制御装置の第２実施例の構成ブロック図である。
【発明を実施するための形態】
【００１８】
以下、図に示す実施例に基づいて、この発明を説明する。
なお、これによって、この発明が限定されるものではない。
【００１９】
［第１実施例］
＜表示制御装置の構成＞
図１に、この発明の表示制御装置の一実施例の構成ブロック図を示す。
この発明の表示制御装置５０は、主として、主制御装置１と、複数のＬＥＤ１２と、各ＬＥＤをそれぞれ点灯制御する複数のＬＥＤ制御装置１１とから構成される。
【００２０】
ＬＥＤ１２は、発光素子の１つの例であり、これ以外の発光素子を用いてもよい。１つのＬＥＤ１２ごとに、そのＬＥＤを点灯制御するための１つのＬＥＤ制御装置１１が設けられる。
したがって、ＬＥＤ１２とＬＥＤ制御装置１１とは、同数だけ備えられる。
ＬＥＤ制御装置１１は、上記した発光素子制御装置に相当する。
【００２１】
主制御装置１は、複数のＬＥＤ１２を個別に制御するための点灯制御信号を信号線８に出力するための装置である。主制御装置１と複数のＬＥＤ制御装置とは、１本の信号線８によって、直列接続されている。
主制御装置１と各ＬＥＤ制御装置１１とは、電源線７とグランド線９で接続され、主制御装置１から電源線７を通して供給される電力によって、各ＬＥＤ制御装置１１を動作させる。点灯制御信号は、後述するような複数ビットからなる信号であり、主制御装置１から、１番目のＬＥＤ制御装置（１１−１）に接続された信号線８に出力される。
各ＬＥＤ制御装置１１は、１本の電源線７と、１本のグランド線９との間に並列に接続される。
主制御装置１に接続される信号線８は、１番目のＬＥＤ制御装置（１１−１）に接続されるが、この部分の信号線の符号を８１とする。
【００２２】
また、信号線８は、順次、直列的に、複数のＬＥＤ制御装置１１に接続されており、ｎ番目のＬＥＤ制御装置（１１−ｎ）に入力される信号線の部分に、符号８ｎを付与するものとする。たとえば、１番目のＬＥＤ制御装置（１１−１）と、２番目のＬＥＤ制御装置（１１−２）との間の信号線は、符号８２を付与する。
主制御装置１から信号線８１に出力された点灯制御信号は、隣接するＬＥＤ制御装置間の各信号線（８２，８３，・・・，８ｎ）を介して、順次、ＬＥＤ制御装置１１に入出力されながら、最終端のＬＥＤ制御装置１１−ｎまで伝送される。
【００２３】
主制御装置１から出力される点灯制御信号は、ＬＥＤの個数に相当するビット数からなるデータ列の信号である。ただし、ＬＥＤ制御装置（１１−１）に入力された点灯制御信号のうち、先頭の１ビットのデータ（Ｄ０）のみを、ＬＥＤ制御装置（１１−１）は、そのＬＥＤ制御装置（１１−１）に接続されたＬＥＤ（１２−１）の制御信号として受信し、受信された先頭の１ビットデータＤ０を除く残りの第２ビット目以降のビットデータからなる点灯制御信号を、隣接するＬＥＤ制御装置（１１−２）に接続された信号線８２に出力する。
【００２４】
ＬＥＤ制御装置（１１−１）に受信された先頭の１ビットデータＤ０は、対応するＬＥＤ（１２−１）を点灯または消灯させるのに用いられる。
各ＬＥＤ制御装置１１とグランド線９との間には、１つのＬＥＤ１２と、１つの抵抗１３とが、直列的に接続される。
【００２５】
抵抗１３は、ＬＥＤ１２に流れる電流を制限して、ＬＥＤの発光の明るさを決定するためのものである。
１ビットデータＤ０を、値「１」または値「０」のいずれかの数値からなるものとすると、たとえば、ＬＥＤ制御装置１１が値「１」のデータを受信した場合は、対応するＬＥＤ１２を点灯させるように、駆動電圧をＬＥＤ１２に印加する。
また、ＬＥＤ制御装置１１が値「０」のデータを受信した場合は、対応するＬＥＤ１２を消灯させるように、駆動電圧をＬＥＤ１２に印加する。
【００２６】
＜主制御装置の構成＞
図１において、主制御装置１は、主として、信号送信部２，ＣＰＵ３，ＲＯＭおよびＲＡＭからなる記憶部４，タイマー５とから構成される。
ＣＰＵ３は、ＲＯＭ等に記憶されているプログラムに基づいて、信号送信部２，記憶部４，タイマー５などのハードウェアを有機的に動作させて、ＬＥＤの点灯制御処理を行う。
記憶部４は、プログラム、各種設定データ、タイマー値、動作に必要な情報などを記憶する部分であり、ＲＯＭ、ＲＡＭの他、フラッシュメモリなどが用いられる。
【００２７】
タイマー５は、時間を計測する部分であり、所定の時間に相当する数値が与えられると、その数値までのカウントを開始し、その数値のカウントが終了した場合に、タイマーが満了したことを示す情報を出力する。
このタイマー５は、後述するように、信号線８に出力するデータ列を構成する１ビットのデータの出力時間をカウントするものである。この出力時間は、たとえば、１００μ秒とする。
信号送信部２は、複数ビットのデータ列からなる点灯制御信号を、１番目のＬＥＤ制御装置に接続された信号線８１に出力する部分である。たとえば、制御対象のＬＥＤ１２が８個の場合、点灯制御信号は、８ビットのデータ列からなる信号である。
【００２８】
図６に、データ列の１ビットのデータを示す信号の一実施例の説明図を示す。
１ビットのデータを、「１」および「０」のいずれかの値を持つ２値信号であるとすると、図６（ａ）に値１の信号の例を示し、図６（ｂ）に値０の信号の例を示す。
ここで、値１を示す信号は、電圧５Ｖ、出力時間幅を１００μ秒とし、値０を示す信号は、電圧３Ｖ、出力時間幅を１００μ秒とする。また、信号が出力されない状態（無信号状態）は、電圧０Ｖとする。
【００２９】
すなわち、信号線８が、０Ｖの状態のときは、信号が出力されていないことを意味する。信号線８が５Ｖの状態となっていたとき値１のデータが出力され、３Ｖの状態となったときは、値０のデータが出力されていることを意味する。
また、値１のデータは、ＬＥＤを点灯（ＯＮ）させるデータであり、値０のデータは、ＬＥＤを消灯（ＯＦＦ）させるデータであるとする。
【００３０】
図３に、この発明の点灯制御信号の一実施例の説明図を示す。
図３の横軸を時間（ｔ）、縦軸を電圧（Ｖ）とする。
ここでは、点灯制御信号は、８ビットのデータ列とし、８つのＬＥＤの点灯制御を行うものとする。
【００３１】
図３（ａ）は、主制御装置１から、信号線８１に出力される点灯制御信号（データ列）を示している。
この信号線８１に出力されるデータ列は、先頭が「０」で、末尾が「１」である「０１１００１０１」の８ビットデータである。
また、図６に示したように、「０」が電圧３ＶのＬＥＤを消灯させる信号であり、「１」が電圧５ＶのＬＥＤを点灯させる信号であり、信号のない状態は０Ｖである。
また、各１ビットの信号の時間幅は、１００μ秒とする。
【００３２】
この場合、先頭の１ビット目のデータ「０」は、主制御装置１に接続された、１番目のＬＥＤ制御装置（１１−１）に受信され、このＬＥＤ制御装置（１１−１）に接続されたＬＥＤ（１２−１）を消灯（ＯＦＦ）させる。
また、２ビット目のデータ「１」は、２番目のＬＥＤ制御装置（１１−２）に受信されるデータであり、このＬＥＤ制御装置（１１−２）に接続されたＬＥＤ（１２−２）を点灯（ＯＮ）させる。
【００３３】
同様に、３ビット目から８ビット目までのデータ「１００１０１」は、それぞれ、３番目のＬＥＤ制御装置（１１−３）から８番目のＬＥＤ制御装置（１１−８）に受信されるデータであり、「１」の場合は、対応するＬＥＤを点灯させ、「０」の場合は、対応するＬＥＤを消灯させる。
【００３４】
また、１番目のＬＥＤ制御装置（１１−１）によって、先頭の１ビット目のデータ「０」が受信された後、この１ビット目のデータ「０」は、ＬＥＤ制御装置（１１−１）の出力側の信号線８２には出力しないようにする。
図３（ｂ）に示すように、主制御装置１から出力された８ビットの点灯制御信号のうち、先頭の１ビット目のデータが除去され、２ビット目から８ビット目までの７ビットのデータ列（１１００１０１）が、信号線８２に出力される。
同様に、２番目のＬＥＤ制御装置（１１−２）によって、図３（ｂ）の先頭の１ビット目のデータ「１」が受信されると、このデータ「１」は、ＬＥＤ制御装置（１１−２）の出力側の信号線８３には出力されない。
【００３５】
したがって、図３（ｃ）に示すように、信号線８３には、主制御装置１から出力されたもとの８ビットの点灯制御信号のうち、３ビット目から８ビット目までの６ビットのデータ列（１００１０１）が出力され、次の３番目のＬＥＤ制御装置（１１−３）に入力される。
このＬＥＤ制御装置（１１−３）では、６ビットのデータ列の先頭の１ビット目のデータ「１」が受信される。
このように、ＬＥＤ制御装置１１を１つ通過するごとに、点灯制御信号の先頭ビットが除去されて、１つ減少した残りのビット数からなるデータ列が、次のＬＥＤ制御装置１１に入力される。
【００３６】
図３（ｄ）は、最後の８番目のＬＥＤ制御装置（１１−８）に入力される信号線８８に伝送される点灯制御信号を示している。
ここでは、１番目から７番目までの７つのＬＥＤ制御装置（１１−１から１１−７）によって、それぞれ先頭から７ビット目までの１ビットデータが受信されたので、もとの点灯制御信号の８ビット目に相当する残りの１ビットのデータ「１」のみからなる信号となっている。
８番目のＬＥＤ制御装置（１１−８）は、この１ビットデータ「１」を受信して、この「１」のデータに基づいて、接続されたＬＥＤ（１２−８）を点灯（ＯＮ）させることになる。
【００３７】
図５に、主制御装置の記憶部に予め記憶されるデータ列の一実施例の説明図を示す。
ここでは、１４個のデータ列を示しているが、１つのデータ列は、８ビットのデータからなるものを示している。
ただし、制御するＬＥＤ１２がｎ個の場合、ＬＥＤ制御装置１１もｎ個あるので、１つのデータ列は、ｎビットのデータからなる。
また、これらのデータ列は、任意のビットデータから構成することができ、「０」と「１」の並びによって複数個のＬＥＤの個々の点灯および消灯が決定される。
たとえば、図５の１４個のデータ列を、この順に点灯制御信号として出力したとすれば、１番目のＬＥＤ（１２−１）は、２番目と１０番目に出力されたデータ列によって点灯され、それ以外のデータ列が出力されている場合は消灯していることになる。
【００３８】
＜ＬＥＤ制御装置の構成＞
図２に、この発明のＬＥＤ制御装置の第１実施例の構成ブロック図を示す。
ＬＥＤ制御装置１１は、入力側の信号線８から送られてきた点灯制御信号（制御データ）を取り込み、その信号の先頭の１ビットデータのみを受信して、その受信した１ビットデータの値に対応した電圧をＬＥＤ１２に印加することにより、ＬＥＤの点灯または消灯を行うものである。
【００３９】
ＬＥＤ制御装置１１は、上記したように、複数のＬＥＤ１２と同数設けられるが、すべてのＬＥＤ制御装置１１は、図２に示すものと同一の構成を備える。
【００４０】
図２に示すように、ＬＥＤ制御装置１１は、主として、データ受信部１０２，データ開始検出部１０３，データ終了検出部１０４，スイッチ１０５，データ送信ドライバ１０６，ＬＥＤドライバ１０７，信号ビットメモリ１０８，タイマー１０９，無信号設定部１２０から構成される。
【００４１】
図２は、主制御装置１に隣接する１番目のＬＥＤ制御装置１１−１を示しており、入力側の信号線８１は、主制御装置１に接続され、主制御装置１から出力された点灯制御信号１３０が入力される。
出力側の信号線８２は、隣接する２番目のＬＥＤ制御装置１１−２に接続され、先頭の１ビットデータが除かれた点灯制御信号１３０が、この信号線に出力される。
【００４２】
データ受信部１０２は、入力側の信号線８１に接続され、この信号線８１の電圧レベルを検知するものである。また、信号線８１を介して入力された点灯制御信号の先頭の１ビットデータのみを受信する。
たとえば、図６に示すように、３Ｖあるいは５Ｖの電圧値を検出し、さらに、信号のない状態（無信号状態）を意味する０Ｖも検出する。
また、検出した電圧値に対応したビットデータを出力する。
【００４３】
データ受信部１０２は、たとえば、電圧値３Ｖを検出したときは、値０を出力し、電圧値５Ｖを検出したときは、値１を出力する。電圧値が０Ｖであることを検出した場合の出力は、本発明では利用しないので、規定しない。
出力されるビットデータ（０または１）は、データ開始検出部１０３からの開始検出信号が信号ビットメモリ１０８に与えられている場合に、信号ビットメモリ１０８に記憶される。
【００４４】
データ開始検出部１０３は、入力側の信号線８１に接続され、信号線８１の電圧変化を検出して、信号線８１に伝送されてきた点灯制御信号１３０の受信が開始されたことを検出する部分である。言いかえれば、点灯制御信号の先頭ビットが入力されたことを検出する部分である。
【００４５】
点灯制御信号１３０は、たとえば、図３（ａ）に示すような電圧変化を持つ信号であるが、無信号状態（０Ｖ）から、３Ｖの電圧あるいは５Ｖの電圧に変化したことを検出し、このような電圧変化が生じたときに、受信が開始されたと判断する。
また、点灯制御信号の受信が開始されたことを検出した場合、データ開始検出部１０３は、所定の開始検出信号を信号ビットメモリ１０８に出力し、さらに、タイマー１０９に起動開始信号を出力する。
【００４６】
信号ビットメモリ１０８は、データ受信部１０２から出力される１ビットのデータを記憶する部分であり、データ開始検出部１０３によって先頭ビットが入力されたことが検出され、データ開始検出部１０３から開始検出信号が与えられている場合に、受信された１ビットデータを記憶させる。
一方、開始検出信号が入力されていない場合は、データ受信部１０２から１ビットデータが出力されていたとしても、その１ビットデータは記憶しない。
信号ビットメモリ１０８は、ビットデータを一時的に記憶すればよく、書き換え可能な記憶素子を用いればよい。たとえば、ＲＡＭやレジスタなどを用いることができ、高価な不揮発性のメモリを用いる必要はない。
【００４７】
タイマー１０９は、データ開始検出部１０３によって先頭ビットが入力されたことを検出した後に、所定の時間の経過を計測（カウント）し、その時間が経過したことを出力する部分である。所定の時間のカウントは、データ開始検出部１０３から与えられる起動開始信号が入力されたときにスタートする。
所定の時間は、先頭ビットの時間幅に相当する時間である。先頭ビットの時間幅もそれ以降の各ビットの時間幅も同じなので、点灯制御信号１３０の１ビット分の時間幅に相当する時間が、所定の時間として予め設定され、たとえば、１００μ秒が設定される。
この所定の時間の経過を計測した後、すなわちタイマーが満了した場合、タイマーが満了したことを意味する信号（切替信号）を、スイッチ１０５に出力する。
【００４８】
スイッチ１０５は、後述するように、この切替信号が入力されると、接点ｃと接点ａとが接続するように信号線の経路を切り替える。
これにより、入力された点灯制御信号のうち、切り替え後に、先頭ビットを除いた残りのビットデータからなる点灯制御信号１３０を、信号線８１からデータ送信ドライバ１０６に伝送させる。
【００４９】
スイッチ１０５は、入力側の信号線８とデータ送信ドライバとの接続を切り替えて、点灯制御信号の出力制御を行う部分である。スイッチ１０５は、上記した切替部に相当する。
具体的には、データ送信ドライバ１０６に接続された出力側の信号線を、入力側の信号線に接続するか、あるいは、無信号設定部１２０に接続するかを切り替える部分である。
この接続切替によって、入力された点灯制御信号あるいは無信号状態（０Ｖ)が、データ送信ドライバ１０６へ伝送される。
【００５０】
スイッチ１０５は、図２に示すように、入力側の信号線に接続された接点ａと、無信号設定部１２０に相当するグランド（接地点）に接続された接点ｂと、出力側の信号線に接続された接点ｃとを有する。
初期状態と、タイマー１０９からの切替信号が入力されていない状態では、接点ｃと接点ｂとが接続され、データ送信ドライバ１０６と出力側の信号線８２は、グランド１２０に接続され、無信号状態の０Ｖとなっている。
【００５１】
一方、上記したように、切替信号が入力された場合は、スイッチ１０５は、接点ｃと接点ａとが接続されるように切り替えられる。この接続状態においては、入力側の信号線８１に伝送された点灯制御信号１３０が、データ送信ドライバ１０６に入力され、出力側の信号線８２に伝送される。
また、後述するように、データ終了検出部１０４から終了検出信号が入力された場合は、接点ｃと接点ｂとが接続されるように切り替えられる。
無信号設定部１２０は、単に、接点ｂをグランド（０Ｖ）に接続する部分であり、グランド線９と接続してもよい。
【００５２】
データ終了検出部１０４は、入力側の信号線８１に接続され、点灯制御信号の最終ビットの入力が終了した後に、信号線８１の電圧レベルが無信号状態（０Ｖ）に変化したことを検出する部分である。
たとえば、点灯制御信号１３０の受信状態である電圧レベル（３Ｖまたは５Ｖ）から無信号状態（０Ｖ）に変化したことを検出する。
データ終了検出部１０４は、無信号状態に変化したことを検出した後、終了検出信号を、スイッチ１０５に出力する。
【００５３】
スイッチ１０５に終了検出信号が与えられると、スイッチ１０５によって、データ送信ドライバ１０６に無信号状態（０Ｖ）を伝送するように、信号線８の接続が切り替えられ、接点ｃと接点ｂとが接続され、信号線８１と８２との接続が解除される。
これにより、データ送信ドライバ１０６の入力側が無信号設定部１２０に接続され、出力側の信号線８２は０Ｖとなって無信号状態となる。
【００５４】
データ送信ドライバ１０６は、スイッチ１０５の接点ｃに接続された信号線上を伝送してきたデータを入力して、そのまま出力側の信号線８２へ伝送する部分である。データ送信ドライバ１０６は、上記したデータ送信部に相当する。
上記したように、スイッチ１０５の切替状態に対応して、入力側の信号線８１から伝送されてきた点灯制御信号１３０か、あるいは無信号設定部１２０による無信号状態の０Ｖが、信号線８２へ出力される。
たとえば、データ送信ドライバ１０６は、受信した１ビットデータを除く残りのビットデータからなる点灯制御信号を、隣接するＬＥＤ制御装置に出力する。
【００５５】
ＬＥＤドライバ１０７は、受信した１ビットデータに基づいて、対応するＬＥＤを点灯制御する部分であり、具体的には、信号ビットメモリ１０８に記憶されている１ビットデータの値に対応した電圧をＬＥＤ１２へ出力して、ＬＥＤを点灯あるいは消灯させる部分である。ＬＥＤドライバ１０７は、上記した点灯部に相当する。
ＬＥＤドライバ１０７の出力側と、グランド線９との間には、ＬＥＤ１２と抵抗１３とが直列接続される。
【００５６】
たとえば、信号ビットメモリ１０８にビットデータ「１」が記憶されている場合、ＬＥＤドライバ１０７に「１」に相当する信号が与えられ、ＬＥＤドライバ１０７の出力側には、ＬＥＤ１２を点灯させることのできる５Ｖ程度の電圧が印加される。
これにより、ＬＥＤ１２には、抵抗１３の抵抗値との関係で決められた所定の電流が流れ、ＬＥＤ１２が点灯する。
また、信号ビットメモリ１０８にビットデータ「０」が記憶されている場合、ＬＥＤドライバ１０７に「０」に相当する信号が与えられ、ＬＥＤドライバ１０７の出力側には、ＬＥＤ１２を点灯させない電圧（たとえば０Ｖ）が印加される。
これにより、ＬＥＤ１２は消灯状態となる。
ＬＥＤ１２の点灯、消灯の状態は、新たな信号を受信して、信号ビットメモリ１０８が変化するまで維持される。
【００５７】
＜主制御装置の点灯制御処理＞
図４に、主制御装置の点灯制御処理の一実施例のフローチャートを示す。
ここでは、主制御装置の記憶部４に予め記憶された１つのデータ列を読み出して、そのデータ列の各ビットに対応した電圧値の点灯制御信号１３０を信号線８１に出力する場合を示す。
ただし、図５に示すような、複数のデータ列を予め記憶しておき、読み出すデータ列の順序も予め設定しておくことにより、すべてのＬＥＤに対して、連続的な点灯および消灯の制御が可能となる。
【００５８】
ステップＳ１において、ＣＰＵ３が、点灯制御信号のもとになる一つのデータ列を、記憶部４から読み出す。たとえば、ＲＯＭ等に記憶されていた図５のデータ列１の内容「０１１００１０１」をＲＡＭ上に読み出す。
ステップＳ２において、ＣＰＵ３は、読み出したデータ列の先頭の１ビットデータを、信号送信部２へ出力する。
データ列１の場合は、先頭のビットデータ「０」が出力される。
この先頭の「０」を受信した信号送信部２は、所定の時間（たとえば、１００μ秒）だけ、この「０」に相当する電圧値（図６（ａ）の３Ｖ）の信号を、信号線８１へ出力する。
【００５９】
ステップＳ３において、ＣＰＵ３は、タイマー５を起動させる。ここで、たとえば、時間Ｔ＝１００μ秒をカウントするタイマーがスタートする。
ステップＳ４において、ＣＰＵ３は、タイマー５が上記時間のカウントを終了し、タイマーが満了したか否かをチェックする。
満了した場合は、ステップＳ５へ進み、満了していない場合は、ステップＳ４をループする。
【００６０】
ステップＳ５において、ステップＳ２で出力されたビットデータが、データ列の最終ビットか否かをチェックする。最終ビットでない場合は、ステップＳ６へ進み、最終ビットであった場合は、ステップＳ７へ進む。
【００６１】
ステップＳ６において、読み出したデータ列のうち、次のビットデータを、信号送信部２へ出力する。先頭のビットデータ「０」が出力された直後は、データ列の２ビット目のビットデータが選択されて、出力される。図５のデータ列１の場合は、「１」が出力される。
これにより、信号送信部２から、ビットデータ「１」に相当する電圧値（図６（ａ）の５Ｖ）の信号が出力される。その後、ステップＳ３へ戻る。
このステップＳ３からＳ６までの一連の処理を、データ列を構成するビット数の回数だけ、所定の時間間隔（たとえば、１００μ秒）で繰り返すことにより、複数のＬＥＤを個別に点消灯するための点灯制御信号１３０が、信号線８１に出力される。
【００６２】
ステップＳ７において、読み出したデータ列のすべてのビットデータに相当する信号を出力し終えたので、ＣＰＵ３は、信号送信部２に、信号線８１に０Ｖを出力する指示を与え、信号線８１を無信号状態とする。
これにより、たとえば、図３（ａ）に示すような電圧波形を持つ１つのデータ列に対応した点灯制御信号１３０が、信号線８１に出力される。
【００６３】
図３（ａ）に示すような点灯制御信号１３０が、信号線８１に出力されると、１００μ秒ごとに電圧値が変化する８ビットの信号が順次、１番目のＬＥＤ制御装置（１１−１）に入力される。
先頭のビットデータ「０」が、ＬＥＤ制御装置（１１−１）に入力される前は、データ開始検出部１０３において、無信号状態（０Ｖ）が検出されているので、開始検出信号は出力されない。
【００６４】
先頭のビットデータ「０」に相当する信号が、信号線８１に伝送され、データ開始検出部１０３によってそのビットデータ「０」に対応する電圧値（３Ｖ）が検出された場合、信号ビットメモリ１０８に対して開始検出信号が出力され、タイマー１０９に対して起動開始信号が出力される。
【００６５】
先頭のビットデータ「０」に相当する信号は、同じ信号線８１に接続されたデータ受信部１０２にも入力されるので、データ受信部１０２から、１ビットデータとして値「０」を出力する。
この出力されたビットデータ「０」は、信号ビットメモリ１０８に開始検出信号が出力されたタイミングで、信号ビットメモリ１０８に取り込まれ、一時的に記憶される。
信号ビットメモリ１０８に記憶された１ビットデータ「０」は、そのままＬＥＤドライバ１０７に与えられ、ＬＥＤドライバ１０７は、入力された１ビットデータ「０」に対応した電圧値（たとえば０Ｖ）をＬＥＤに印加して、ＬＥＤ１２を消灯させる。
【００６６】
その後、次の２ビット目から８ビット目のデータが、順次信号線８１を介して、１番目のＬＥＤ制御装置（１１−１）に伝送されてくる。
【００６７】
しかし、２ビット目から８ビット目までのデータは、データ受信部１０２に受信されても、それらのデータが受信されているタイミングにおいて、データ開始検出部１０３から、開始検出信号が出力されないので、信号ビットメモリ１０８に取り込まれない。
したがって、２ビット目から８ビット目までのデータは、信号ビットメモリ１０８には記憶されない。
よって、この１番目のＬＥＤ制御装置（１１−１）では、２ビット目から８ビット目のデータに対応したＬＥＤの点灯制御は行われず、先頭の１ビットデータのみについて、ＬＥＤの点灯制御が行われることになる。
【００６８】
また、上記したように、タイマー１０９に起動開始信号が与えられると、タイマー１０９は、所定の時間（たとえば１００μ秒）のカウントを開始し、その時間が経過した後に、切替信号をスイッチ１０５に出力する。
この切替信号が入力されたスイッチ１０５は、信号線８１と８２とが接続されるように、すなわち、接点ｃと接点ａとが接続されるように、接続状態を切り替える。
【００６９】
上記所定の時間の１００μ秒は、伝送される１ビットデータの時間幅であり、先頭の１ビットデータの検出を開始した後、１００μ秒が経過した場合は、次の２ビット目のデータがＬＥＤ制御装置（１１−１）に入力される時間となる。
すなわち、先頭の１ビットデータがＬＥＤ制御装置（１１−１）に入力されていた時間では、スイッチの接点ｃと接点ｂとが接続されており、無信号状態（０Ｖ）が出力側の信号線８２に出力されるので、この先頭の１ビットデータは、信号線８２に出力されない。
その後、次の２ビット目が入力される時間となった時に、接点ｃと接点ａとが接続されるので、２ビット目のビットデータ以降のデータが出力側の信号線８２に出力されることになる。
この接点ｃと接点ａとが接続された状態は、データ終了検出部１０４から出力される終了検出信号がスイッチ１０５に入力されるまで継続される。
【００７０】
データ終了検出部１０４は、データ列の最終ビットのデータが伝送され、その後の無信号状態（０Ｖ）が検出されたときに終了検出信号を出力するので、最終ビットのデータがスイッチ１０５を通過した後のタイミングで、接点ｃと接点ａの接続状態が解除され、接点ｃと接点ｂとが接続される。
【００７１】
すなわち、ＬＥＤ制御装置では、先頭の１ビット目のデータのみが、ＬＥＤ（１２−１）を点灯制御する信号として受信され、この１ビット目のデータは、出力側の信号線８２には出力されず、２ビット目から最終ビットまでのデータが、出力側の信号線８２に出力されるように、スイッチ１０５が切り替えられる。
したがって、２ビット目から最終ビット（８ビット目）までのデータが、出力側の信号線８２に出力されて、隣接するＬＥＤ制御装置（１１−２）に入力されることになる。
【００７２】
また、２番目以降のＬＥＤ制御装置（１１−２〜１１−８）も、上記に示したような１番目のＬＥＤ制御装置（１１−１）と同様の動作を行う。
たとえば、２番目のＬＥＤ制御装置（１１−２）では、信号線８２を介して、図３（ｂ）に示すような７ビットのデータ列からなる点灯制御信号１３０が入力されることになる。
このＬＥＤ制御装置（１１−２）において、図３（ｂ）の先頭の１ビット目のビットデータ「１」のみがＬＥＤ（１２−２）を点灯させる制御信号として受信される。
このビットデータ「１」は、主制御装置１から出力された図３（ａ）の８ビットの点灯制御信号のうち、２ビット目のビットデータに相当する。
【００７３】
また、２番目のＬＥＤ制御装置（１１−２）において、先頭のビットデータ「１」が受信されている状態では、そのスイッチ１０５によって、無信号状態（０Ｖ）が出力側の信号線８３に出力されるので、この先頭のビットデータ「１」は、次の３番目のＬＥＤ制御装置（１１−３）には出力されない。
タイマー１０９が起動されて、１００μ秒後に、スイッチ１０５が切り替えられて、入力側の信号線８２と出力側の信号線８３とが接続されるので、図３（ｂ）に示す７ビットのデータ列のうち、１ビット目の「１」は除外され、２ビット目から最終ビットの７ビット目までのビットデータ（図３（ｃ）参照）が、出力側の信号線８３に出力される。
【００７４】
３番目以降のＬＥＤ制御装置の動作も同様であり、最後の８番目のＬＥＤ制御装置（１１−８）では、入力側の信号線８８に、図３（ｄ）に示すような１ビットデータ「１」のみからなる点灯制御信号が入力されることになるので、この１ビットデータ「１」が受信されて、この受信データに基づいて、ＬＥＤ（１２−８）の点灯制御が行われることになる。
【００７５】
このように、主制御装置１から出力された点灯制御信号のうち、先頭の１ビットデータのみを、ＬＥＤ制御装置１１でＬＥＤ１２を点灯制御する信号として取り込み、２ビット目以降の点灯制御信号を隣接するＬＥＤ制御装置１１に出力するようにしているので、各ＬＥＤ１２を個別に点灯制御することができる。
各ＬＥＤ制御装置１１において、１ビットのデータを記憶するメモリ１０８を設けるが、このメモリとしては、一時的に記憶する記憶素子を用いればよく、各ＬＥＤ制御装置を識別する固有のＩＤ番号を記憶しておく不揮発性の記憶素子を設ける必要はないので、製造コストと装置のコストを比較的低く抑えることができる。
【００７６】
また、ＬＥＤを個別に点灯制御する信号を、１本の信号線８を利用して伝送するので、ＬＥＤごとに点灯制御するための専用線を設ける必要はなく、製造コストを低く抑え、設置作業も容易である。
各ＬＥＤ制御装置には、１本の共通電源線７が接続されて電力が供給され、信号線８を伝送する点灯制御信号は、隣接するＬＥＤ制御装置に出力すればよいので、点灯制御信号を出力するデータ送信ドライバ１０６のドライブ能力は比較的小さなもので十分である。
また、各ＬＥＤ制御装置としては、すべて同一構成の装置を用いることができるので、要求されるＬＥＤの個数と同一の数のＬＥＤ制御装置を準備すればよく、ＬＥＤの増加や減少という急な設計変更にも、容易に対応することが可能である。
【００７７】
［第２実施例］
図８に、この発明のＬＥＤ制御装置の第２実施例の構成ブロック図を示す。
ここでは、複数のＬＥＤ制御装置による各ＬＥＤの点灯制御のタイミングのずれを調整する場合の実施例を示す。
【００７８】
制御するＬＥＤの数が、たとえば数百個以上というような非常に多数となった場合、それらのＬＥＤを点灯制御するためのビットデータを含む１つの点灯制御信号１３０が、同一の信号線８上に伝送されるので、たとえば、主制御装置１に最も近い先頭のＬＥＤ制御装置１１−１によってＬＥＤ１２−１を実際に点灯あるいは消灯するタイミングと、主制御装置１から最も遠い最後尾のｎ番目のＬＥＤ制御装置１１−ｎによってＬＥＤ１２−ｎを実際に点灯あるいは消灯するタイミングとがかなりずれてくる場合がある。
【００７９】
ここでは、上記のようなＬＥＤの実際の点消灯のタイミングのずれを低減させるための構成の一実施例を示す。
図８は、図２のＬＥＤ制御装置と比較して、調整ビットメモリ１１０を設け、データ終了検出部１０４から出力される終了検出信号を、調整ビットメモリ１１０にも与えることが異なる。
調整ビットメモリ１１０は、信号ビットメモリ１０８と同様に、１ビットデータを記憶するメモリである。１ビットデータを一時的に記憶できればよく、不揮発性メモリを使う必要はない。
データ終了検出部１０４が、入力側の信号線８１が無信号状態（０Ｖ）に変化したことを検出すると、終了検出信号が出力される。この終了検出信号は、スイッチ１０５と調整ビットメモリ１１０に与えられる。
【００８０】
図２の実施例では、信号ビットメモリ１０８に１ビットデータが記憶されると、ＬＥＤドライバ１０７が記憶された１ビットデータに基づいてすぐにＬＥＤを点灯または消灯させていた。
一方、図８の実施例では、１ビットデータが信号ビットメモリ１０８に記憶されても、そのデータ内容に基づいてすぐにＬＥＤの点灯制御をするのではなく、データ終了検出部１０４が点灯制御信号の最終ビットの伝送が終了して信号線８１が無信号状態（０Ｖ）となったことを検出した後に、信号ビットメモリ１０８に記憶された１ビットデータを、調整ビットメモリ１１０に転送させる。
【００８１】
すなわち、調整ビットメモリ１１０に、データ終了検出部１０４から出力された終了検出信号が入力されたときに、信号ビットメモリ１０８の記憶データを、調整ビットメモリ１１０に書き込むようにする。
この後、ＬＥＤドライバ１０７は、調整ビットメモリ１１０に転送された１ビットデータに基づいて、対応するＬＥＤ１２を点灯あるいは消灯させる。
【００８２】
点灯制御信号が８ビットデータであり、ＬＥＤ１２およびＬＥＤ制御装置１１が８個であったとすると、主制御装置１が、点灯制御信号の最後の８ビット目のビットデータを出力したとき、１番目から７番目までのＬＥＤ制御装置（１１−１〜１１−７）は、それぞれ自己への１ビットデータのみを受信して、受信した１ビットデータを信号ビットメモリ１０８へ書き込み、スイッチ１０５は、無信号設定部１２０から入力側の信号線の方へ切り替えた状態となっている。
したがって、最後の８ビット目のビットデータは、１番目から７番目までのデータ送信ドライバ１０６を通過して、最終の８番目のＬＥＤ制御装置（１１−８）へ入力される。
８ビット目のビットデータを出力した後、主制御装置１から無信号状態（０Ｖ）を出力した場合、この無信号状態は、７つのデータ送信ドライバ１０６を介して、８番目のＬＥＤ制御装置１１−８まで伝送される。
【００８３】
この場合、データ送信ドライバ１０６による信号遅延が存在するが、１本の信号線８上は、ほぼ同時に、無信号状態（０Ｖ）になり、８つの各ＬＥＤ制御装置（１１−１〜１１−８）へのデータ終了検出部１０４において、図２の実施例の構成よりもタイミングのずれが低減された状態で、終了検出信号が出力されるので、各ＬＥＤ制御装置の調整ビットメモリ１１０へのビットメモリの書き込みタイミングも、ずれが少なくなる。
したがって、点灯制御するすべてのＬＥＤの実際の点灯あるいは消灯のタイミングのずれを調整して、ほぼ所望のタイミングで、複数のＬＥＤの点灯制御が可能となる。
【００８４】
［第３実施例］
図７に、この発明の１ビットのデータを示す信号の他の実施例の説明図を示す。
図６の１ビットデータの信号は、無信号状態を含めると、０Ｖと、３Ｖと、５Ｖの３値であったが、図７では、０Ｖと５Ｖの２値とし、値０と値１とは、信号の電圧レベルの変化の方法に違いにより区別する点が、図６のものと異なる。
図７では、１ビットデータの時間幅を２００μ秒とし、値１の信号は、中央の１００μ秒のときに電圧レベルが反転するものとして、値０の信号は、電圧レベルが２００μ秒の間一定であるものとする。
【００８５】
具体的には、値１の信号は、図７（ａ）または図７（ｂ）のどちらかの信号波形とし、値０の信号は図７（ｃ）または図７（ｄ）のどちらかの信号波形を持つものとする。
たとえば、図７（ａ）の値１の信号では、直前の電圧レベルが０Ｖ（以下、Ｌと呼ぶ）の場合、最初の１００μ秒の間、５Ｖ（以下、Ｈと呼ぶ）に電圧レベルを反転させ、その後の１００μ秒の間、Ｌ（０Ｖ）に反転させる。
また、図７（ｂ）の値１の信号では、直前の電圧レベルがＨ（５Ｖ）の場合、最初の１００μ秒の間、Ｌ（０Ｖ）に電圧レベルを反転させ、その後の１００μ秒の間、Ｈ（５Ｖ）に反転させる。
【００８６】
また、図７（ｃ）の値０の信号では、直前の電圧レベルがＬ（０Ｖ）の場合、２００μ秒の間、Ｈ（５Ｖ）に電圧レベルを反転させ、その後Ｌ（０Ｖ）に戻す。
図７（ｄ）の値０の信号では、直前の電圧レベルがＨ（５Ｖ）の場合、２００μ秒の間、Ｌ（０Ｖ）に電圧レベルを反転させ、その後Ｈ（５Ｖ）に戻す。
ビットデータとして上記のような信号波形を用いる場合、データの開始の検出は、信号線８の０Ｖから５Ｖへの電圧変化（立ち上がり）および、信号線８の５Ｖから０Ｖへの電圧変化（立ち下がり）を検出することにより可能となる。
【００８７】
また、一定時間以上、信号線に電圧レベルの変化がない場合に、データの終了と判断することができる。
たとえば、図７では、１ビットデータの時間幅を２００μ秒としているので、２００μ秒よりも長い３００μ秒程度以上の時間、信号線の電圧レベルを監視して、電圧レベルに変化がない場合に、データ終了検出部１０４は、点灯制御信号の送信が終了したと判断することができる。
【００８８】
図７に示す信号波形のデータを用いた場合、ビットデータとして値０が連続した場合、値１が連続した場合、ビットデータが値０から値１へ変化した場合、値１から値０へ変化した場合のいずれの場合も、信号線に伝送される電圧レベルが必ず変化する。
したがって、電圧レベルの変化を検出することにより、ＬＥＤ制御装置のタイマー１０９の精度が低かったとしても、各ビットデータの境界を正確に検出することができる。
たとえば、図７のように、１ビットデータの時間幅が２００μ秒である場合、最初に電圧レベルが変化した後の約１５０μ秒から２５０μ秒の間において、電圧レベルが変化したことをもって、各ビットデータの境界と判断すればよい。
【００８９】
［第４実施例］
上記実施例では、点灯制御信号によって各ＬＥＤを制御するデータを２値の１ビットデータとして説明し、各ＬＥＤを点灯（ＯＮ）または消灯（ＯＦＦ）させるものとした。
ただし、各ＬＥＤを制御するデータを、１ビットではなく複数ビットからなるものを用いて、各ＬＥＤの明るさのレベルの調整や、各ＬＥＤの発光色を変化させるようにしてもよい。
たとえば、ＬＥＤの明るさを４段階に調整させる場合は、各ＬＥＤを制御するデータとして、２ビットデータを用いればよい。
【符号の説明】
【００９０】
１  主制御装置、  ２  信号送信部、  ３  ＣＰＵ、  ４  記憶部、  ５  タイマー、  ７  電源線、  ８  信号線、  ９  グランド線、  １１  ＬＥＤ制御装置、  １２  ＬＥＤ、  １３  抵抗、  ５０  表示制御装置、  １０２  データ受信部、  １０３  データ開始検出部、  １０４  データ終了検出部、  １０５  スイッチ（切替部）、  １０６  データ送信ドライバ（データ送信部）、  １０７  ＬＥＤドライバ（ＬＥＤ点灯部）、  １０８  信号ビットメモリ、  １０９  タイマー、  １１０  調整ビットメモリ、  １２０  無信号設定部、  １３０  点灯制御信号（制御データ）
【図１】
2014238538.tif 000003
【図２】
2014238538.tif 000004
【図３】
2014238538.tif 000005
【図４】
2014238538.tif 000006
【図５】
2014238538.tif 000007
【図６】
2014238538.tif 000008
【図７】
2014238538.tif 000009
【図８】
2014238538.tif 000010